(57)【要約】  電子機器から放出されるＥＭＦ放射を充分に遮断する材料で製作された遮断シールドを有するＥＭＦ遮断体。ＥＭＦ遮断体は、電子機器とＥＭＦ遮断体との間の理想的な相対位置決定が保証されるように電子機器に着脱可能に結合されるのに必要な結合機構を有する。ＥＭＦ遮断体は、電子機器のユーザをＥＭＦ遮断体に結合するのに必要な結合機構も有する。ＥＭＦ遮断体は、ビブ、エプロン、ブランケット、衣類、パネルの形でありうる。電子機器は、モバイル電子機器、ラップトップコンピュータ、またはデスクトップコンピュータでもありうる。
2016536793.tif 000002
【特許請求の範囲】
【請求項１】
電子機器のアクセサリ品であって、前記電子機器が、携帯電話、タブレットコンピュータ、ラップトップコンピュータ、ポータブルＤＶＤプレーヤー、ポータブルテレビゲームプレーヤー、またはデスクトップコンピュータであり、前記電子機器に着脱可能に装着されて前記電子機器から放出される電磁場（ＥＭＦ）放射のユーザへの影響を最小にするアクセサリ品であって、
前記電子機器に着脱可能に結合されて、前記電子機器が遮断シールドに装着されている間にユーザが前記電子機器を使用することを可能にする遮断シールド、
を備えることを特徴とし、
前記遮断シールドが、ブランケット、衣類、ビブ、エプロン、パネル、ケースで構成されるグループから選択される少なくとも一つの形状を備え、
前記遮断シールドの少なくとも一部にＥＭＦ放射遮断材料が埋め込まれる、
アクセサリ品。
【請求項２】
前記遮断シールドが、柔らかい布状の材料で製作されるブランケット、衣類、ビブ、エプロン、およびパネルのうち少なくとも一つであって、前記遮断シールドが結合機構を介して前記電子機器に結合され、前記結合機構が、前記遮断シールドのファスナ、ストラップ、ケース、およびポケットのうち少なくとも一つである、請求項１に記載のアクセサリ品。
【請求項３】
前記遮断シールドがファスナを介して前記電子機器に結合され、前記ファスナが前記遮断シールドに結合されて、吸盤、ボタン、クリップ、スナップ、面ファスナ、磁石、弾性バンド、前記電子機器を傾斜状態で収容および保持する収容スロット、跳ね上げフレームキックスタンド、および前記電子機器を摩擦により定位置に固定する材料で構成されるグループから選択される少なくとも一つである、請求項２に記載のアクセサリ品。
【請求項４】
前記遮断シールドが、前記ユーザの肩および生殖器領域を被覆するのに充分に長い、請求項３に記載のアクセサリ品。
【請求項５】
さらに、前記遮断シールドが前記ユーザの肩も被覆する時に前記ユーザの首の少なくとも前部を充分に被覆する前記遮断シールドの一部としての首ガードを具備する、請求項３に記載のアクセサリ品。
【請求項６】
前記衣類が逆向きケープ、コスチュームである、請求項５に記載のアクセサリ品。
【請求項７】
着用可能な袖、ストラップ、およびウェイト付きフラップのうち少なくとも一つを介して前記遮断シールドが前記ユーザに装着される、請求項２に記載のアクセサリ品。
【請求項８】
前記結合機構が前記遮断シールドの中央領域に配置される、請求項７に記載のアクセサリ品。
【請求項９】
前記遮断シールドが前記ユーザの肩と生殖器領域の両方を被覆するのに充分なほど長い、請求項７に記載のアクセサリ品。
【請求項１０】
前記電子機器がモバイル電子機器であり、前記遮断シールドが前記ケースを介して前記モバイル電子機器に結合されて、前記ケースが前記モバイル電子機器の少なくとも一部を包囲し、前記ケースが前記遮断シールドに着脱可能に装着される、請求項２に記載のアクセサリ品。
【請求項１１】
前記電子機器がモバイル電子機器であり、前記遮断シールドがケースであって、前記ケースが前記モバイル電子機器の少なくとも一部を包囲する、請求項１に記載のアクセサリ品。
【請求項１２】
電子機器により放出される電磁場（ＥＭＦ）放射から前記電子機器のユーザを保護する方法であって、
ＥＭＦ放射の通過の最小化が可能な材料を有する遮断シールドを用意することと、
前記ユーザのために前記遮断シールドに結合機構を用意して、前記遮断シールドを前記電子機器に着脱可能に結合することと、
ユーザが前記電子機器を使用している時に前記遮断シールドが前記電子機器に結合されることを保証することと、
を備えることを特徴とする方法。
【請求項１３】
前記遮断シールドが前記電子機器の一部分を被覆するケースであり、前記機器が、携帯電話、タブレットコンピュータ、ラップトップコンピュータ、ポータブルＤＶＤプレーヤー、またはポータブルテレビゲームプレーヤーである、請求項１２に記載の方法。
【請求項１４】
前記遮断シールドが、前記ユーザが腕を通すための着用袖を少なくとも有する、請求項１２に記載の方法。
【請求項１５】
前記遮断シールドが前記ユーザの肩および生殖器を被覆する、請求項１２に記載の方法。
【請求項１６】
前記遮断シールドがユーザの首に締結される、請求項１５に記載の方法。
【請求項１７】
さらに、前記遮断シールドに首ガードを用意する、請求項１２に記載の方法。
【請求項１８】
ファスナにより前記遮断シールドの中央部分に前記電子機器が着脱可能に装着される、請求項１６に記載の方法。
【請求項１９】
前記ファスナが面ファスナである、請求項１８に記載の方法。
【請求項２０】
前記遮断シールドが、前記電子機器にまだ装着されている状態で前記電子機器のケースに折り畳まれるか格納されうる着用ブランケットである、請求項１２に記載の方法。
【発明の詳細な説明】
【技術分野】
【０００１】
関連出願の相互参照
本出願は、「着脱可能なＥＭＦ遮断体を備えるモバイル機器カバー」の名称を持つ２０１３年８月９日付の米国仮出願番号第６１／８６４，４９３号の優先権を主張し、その内容は参照により取り入れられる。
【０００２】
発明の分野は、モバイル電子機器のアクセサリ品である。
【背景技術】
【０００３】
デスクトップコンピュータ、携帯電話、ラップトップコンピュータ、ｉＰａｄ（登録商標）などのタブレットＰＣ、ポータブルゲーム機器、ポータブルＤＶＤプレーヤー、ワイヤレスキーボードのような電子機器は、至近距離の人にとって危険である電磁場（ＥＭＦ）放射を放出することが知られている。
【０００４】
鉛エプロンや鉛ベストなどの鉛シールドを着用することにより放射線被曝を低減することが知られている。このような解決法は現在、頻繁に放射線を被曝する医療従事者により使用されている。しかし、一般人にとってはパーソナルモバイル電子機器により生じるＥＭＦの被曝を最小化するのと同時にユーザおよび着用シールドに対する理想的な相対位置にこのようなモバイル電子機器を保持するための、現時点で適当な解決策は存在していない。具体的には、このようなモバイル電子機器で遊び、また何らかのタイプのシールドを保護のため定位置に保つことが困難であるような、活発な幼児においてＥＭＦの被曝を最小にする実行可能な解決法に対する緊急の必要性が存在する。
【０００５】
２００７年以降、科学者らは、モバイル機器、ラップトップ、ｉＰａｄ（登録商標）、およびタブレットの流行のためＥＭＦ放射が着実に増加していると人々に警告している。今日ではパーソナル電子機器の数は急増し、ＥＭＦ放射は至る所に存在する。具体的には、全世界の２９の独立科学者グループで構成されるバイオイニシアティブワーキンググループは、最近、ＥＭＦ放射についての１８００の研究データを比較検討した。同グループは、電磁放射はＤＮＡを破壊し、ＤＮＡ修復を妨害し、遺伝子に強い毒性を与えるとの結論を出した。同グループはまた、血液脳関門の異常な漏出と免疫機能の変化を示す研究を引用している。男性のベルトやポケットで運ばれるスタンバイ状態の携帯電話とワイヤレスラップトップを、すべて受精力および生殖に影響する質、運動および死壊といった精子へのダメージと結びつける研究も、数十件見られる。おそらくさらに憂慮すべきなのは、電磁放射と結びつきのある小児および成人の脳腫瘍リスクの増加の証拠である。またモバイルおよびコードレス電話の使用は、聴神経腫の発生率を増加させることが報告されている。ＥＭＦ被曝はさらに、小児および成人の白血病や男女両方の乳癌など、他の癌と相関している。報告書はまた、電磁放射と、アルツハイマーおよびＡＬＳ，流産、そしていくつかの心臓血管系作用などの神経系疾患との結びつきを示す研究も引用している。報告すべてが、小児と成人の両方でＥＭＦによる健康リスクが上昇しており、このような被曝から人を保護する具体的な必要性が存在するという警鐘を鳴らしている。
【０００６】
特許文献１は、電子機器用のズボン内ポーチを開示しており、ズボンポケットは電磁シールドを有する。特許文献１は、機器がズボンポケットに入っている時にユーザが保護される位置に電子機器を固定することに関している。
【０００７】
特許文献２は、電磁場から女性を保護するためのシールドまたは保護用衣服を開示している。特許文献２は、より具体的には、電磁場への女性の生殖器官および胎児の被曝を保護および／または低減することに関する。
【０００８】
特許文献３は、保護用ラップトップキャリアを開示している。特許文献３は、有害な熱と、特にユーザの胸または膝領域で使用された時にラップトップにより放出される、ＲＦマイクロ波放射を限定的でなく含む発生ＥＭＦとから、ラップトップユーザをシールドすることに関するものであった。シールドはまた、ラップトップコンピュータ用の軽量キャリーケースおよび底支持体としても機能する。
【０００９】
引用したすべての特許、出願、および文献は、その全体が参照により取り入れられる。さらに、参照により取り入れられる引例の語の定義または使用が、ここに提示されるものの定義と一致していないか反対である際には、ここに提示されるこの語の定義が適用され、引例中の語の定義は適用されない。本発明は、上述の目標のうち一つ以上を達成しようとするものである。本発明は上述の目標のうち一つ以上を除いてもよいが、発明のいくつかの態様は必ずしもこれを除かなくてもよいことが理解されるべきである。
【先行技術文献】
【特許文献】
【００１０】
【特許文献１】米国特許出願公開第２０１２０１８５９９９号明細書
【特許文献２】米国特許第８４３４１６９号明細書
【特許文献３】米国特許第８２０５７４４号明細書
【特許文献４】米国特許出願公開第２０１２０２８０００９号明細書
【特許文献５】米国特許第５１０３５０４号明細書
【特許文献６】米国特許第４９２４１０３号明細書
【特許文献７】米国特許出願公開第２０１００１３９００１号明細書
【特許文献８】米国特許出願公開第２０１００２４０４２１号明細書
【特許文献９】米国特許出願公開第２００７０１９９７３７号明細書
【特許文献１０】米国特許出願公開第２００９０１８４２６９号明細書
【特許文献１１】米国特許出願公開第２０１２００６０２６１号明細書
【発明の概要】
【課題を解決するための手段】
【００１１】
上に記載され図面の図に示されているように、本発明は、電子機器アクセサリ品であるか、電子機器アクセサリ品の一部としてＥＭＦ遮断体を設けることに関する。ＥＭＦ遮断体は、ＥＭＦ放射を遮断するものとして知られている様々な材料で製作されうる遮断シールドを含む。ＥＭＦ遮断体を使用するというこの概念は、携帯電話ケース、ラップトップカバー、ラップトップクッションデスク、ラップトップポータブルテーブル、デスクトップコンピュータ、他のすべてのタブレットコンピュータおよび電子読取り機器に適用されうる。これらのパーソナル電子機器のアクセサリ品の多くにはＥＭＦ遮断体が結合されているため、ユーザは、電子機器を使用している間に、自分の身体にＥＭＦ遮断体を使用することを思い出す可能性が高い。
【図面の簡単な説明】
【００１２】
【図１】遮断シールドが組み込まれたＥＭＦ遮断体を示し、ＥＭＦ遮断体はユーザおよび電子機器に結合されていることを示す図である。
【図２】結合機構を介して多様なタイプの電子機器に結合されるＥＭＦ遮断体および遮断シールドを示す図である。
【図３Ａ】電子機器に結合するための数種の結合機構を各々が有するビブ（前掛け）の形の二つのＥＭＦ遮断体を示す図である。
【図３Ｂ】電子機器に結合するための数種の結合機構を有する、ストラップを備えるエプロンの形のＥＭＦ遮断体を示す図である。
【図３Ｃ】襟を備えるケープの形のＥＭＦ遮断体を示す図である。
【図３Ｄ】ユーザの襟／首ガードを備えるケープの形のＥＭＦ遮断体を示し、ケープはユーザ電子機器に結合するための数種の結合機構を有することを示す図である。
【図３Ｅ】電子機器に結合するための数種の結合機構を有する不規則形状パネルの形のＥＭＦ遮断体を示す図である。
【図３Ｆ】電子機器に結合するための数種の結合機構を有するブランケットの形のＥＭＦ遮断体を示す図である。
【図３Ｇ】電子機器に結合するための数種の結合機構を有する硬質または半剛性パネルの形のＥＭＦ遮断体を示す図である。
【図３Ｈ】電子機器用ケースの形のＥＭＦ遮断体を示す図である。
【図４Ａ】電子機器への装着が可能な着脱可能ケースを備えるビブＥＭＦ遮断体を示す。着脱可能ケースはビブからの分離も可能であることを示す図である。
【図４Ｂ】ＥＭＦ遮断体を使用してタブレットＰＣで遊んでいる幼児を示し、ビブに装着されたケースにタブレットＰＣが装着されていることを示す図である。
【図４Ｃ】ポケットと肩フラップとを備えるＥＭＦ遮断体を示し、タブレットＰＣはポケットの開口部からポケットへ挿入される。ディスプレイ画面は、ポケットの透明窓から視認可能であることを示す図である。
【図４Ｄ】電子機器のための締結手段を備える首ガードおよび袖ぐりを備えるＥＭＦ遮断体を示す図である。
【図４Ｅ】袖と、摩擦を介して電子機器を取り付けるための材料を有するフラップとを備えるＥＭＦ遮断体を示す図である。
【図４Ｆ】電子機器に装着するためのファスナを備えるストラップの形の付属物を含むＥＭＦ遮断体を示す図である。
【図４Ｇ】デスクトップＰＣキーボード、またはラップトップＰＣを載置するためのＥＭＦ遮断体を示す図である。
【図４Ｈ】ユーザの首の周りへの載置のためのループデザインと電子機器に装着するための吸盤とを備えるＥＭＦ遮断体を示す図である。
【図４Ｉ】首ガード、肩フラップ、ストラップ、およびスナップとボタンと磁石との装着手段を備えるＥＭＦ遮断体を示す図である。
【図４Ｊ】電子機器のための嵌め込みスタンドを備えるＥＭＦ遮断体を示す図である。
【図５】袖ぐりと、二つの付属物の末端部に装着されたファスナとを備えるコスチュームの形のＥＭＦ遮断体を示す図である。
【図６Ａ】ＥＭＦ遮断体の末端部または終端部のベルクロ（登録商標）ファスナまたは面ファスナ装着手段を備えるＥＭＦ遮断体を示す図である。
【図６Ｂ】ループデザインおよびループを閉じる磁石と、遮断シールドの中央領域に配置されたファスナとを備えるケープの形のＥＭＦ遮断体を示す図である。
【図７Ａ】ＥＭＦ放射保護を含まないラップトップで作業しているユーザについての先行技術を示す図である。
【図７Ｂ】使用のためユーザに装着されたＥＭＦ遮断体を示し、ラップトップまたはキーボードを載置するところをユーザに指示する明確な表示をＥＭＦ遮断体が有することを示す図である。
【図８】ＥＭＦ遮断体が折り畳まれてケースのポケットに収納された状態のケースを示す図である。
【図９】ＥＭＦ遮断体が、硬質面を備えるラップトップクッションテーブルの形である好適な実施形態を示し、遮断シールドはクッションの中に収納されていることを示す図である。
【発明を実施するための形態】
【００１３】
さて、描写が本発明の好適な実施形態を図示することを目的とし、本発明を限定することが目的ではない図面を参照すると、発明の第一実施形態は、図１に図示された着脱可能ＥＭＦ遮断体を備えるモバイル機器カバーであり、この発明は、遮断シールド３とユーザへの結合手段５と電子機器４とを含む。遮断シールド３を備えるＥＭＦ遮断体２は、概ね周知の方法により電子機器４に着脱可能に結合されている。驚くべきことに、発明者は、電子機器４をＥＭＦ遮断体２に係止する重要性を発見した。ＥＭＦ遮断体２が電子機器４に係止または結合されると、電子機器４とＥＭＦ遮断体２との間の相対位置が保証される。さらに、ＥＭＦ遮断体２を電子機器４のアクセサリ品の一部として製作するとともにＥＭＦ遮断体２をユーザにも結合しようとする試みは、当該技術には見られない。ある形ではユーザの移動自由度を制限するが、ユーザ、特に、ＥＭＦ遮断体２の使用を比較的忘れがちであるか活発過ぎてＥＭＦ遮断体２を定位置に保持できない幼児や子供に対するＥＭＦ放射の最大限の遮断を保証するため、これは重要な特徴である。電子機器４を子供年齢のユーザに係止するＥＭＦ遮断体２を設けることにより、親はＥＭＦ遮断体２の適切な利用を容易に強制および監視できる。
【００１４】
図２は、ＥＭＦ遮断体２と、携帯電話、タブレットパーソナルコンピュータ、デスクトップパーソナルコンピュータ、キーボード、ポータブルＤＶＤプレーヤー、およびポータブルテレビゲームプレーヤーに装着できる結合機構５とともに、ユーザを示す。後述するように、多くの結合方法が考えられる。
【００１５】
図３Ａは、ユーザの首周りに装着するためのループデザインおよび二つのフラップ１２を備えるビブ（前掛け）の形のＥＭＦ遮断体２を示す。締結機構６は、面ファスナ、磁石、または同じく周知の簡易着脱可能な装着デザインでありうる。さらにフラップ１２部分にはウェイトが付けられてもよい。追加ウェイトは、電子機器４の重量に対してバランスを保つことによりユーザの重心を維持するのに役立ち、姿勢を補助する。電子機器４への装着のため、別の結合機構５がビブデザインに組み込まれてもよい。
【００１６】
図３Ｂは、ストラップ７を備えるエプロンの形のＥＭＦ遮断体２を示す。ストラップ７は、ユーザの胴の周りに結び付けるためＥＭＦ遮断体２の下方または中央部分に装着され、ＥＭＦ遮断体２の上方部分のストラップ７は、ユーザの首の周りに結び付けるためのものである。これは、ＥＭＦ遮断体２を安定させるのに役立つだろう。
【００１７】
図３Ｃは、襟９を備えるケープ８の形のＥＭＦ遮断体２を示す。ケープ８は、ボタンまたはスナップで取り付けられうる。ＥＭＦ放射の被曝増加により喉および甲状腺の癌が発生すると考えられているため、喉と首をシールドすることは重要である。
【００１８】
図３Ｄは、ユーザが着用した襟９を備えるケープ８の形のＥＭＦ遮断体２を示す。この実施形態で、ユーザは、ケープ８を逆向きに着ることで襟９を首および顔の前に置く。付加的に、ケープ８はユーザの腕のための袖および袖ぐりを備えるデザインであってもよい。
【００１９】
図３Ｅは、不規則形状パネルの形のＥＭＦ遮断体２を示す。ＥＭＦ遮断体２の形状が対称的である必要はない。さらに、電子機器４のための結合機構５の位置は、多様なユーザの要件に適するように多様な箇所に置かれてもよい。この図３Ｅでは、パネルは概ね軟質で可撓性である。
【００２０】
図３Ｆは、ブランケットの形のＥＭＦ遮断体２を示す。結合機構５は、ポケットまたは他の装着手段の形でありうる。ブランケットがユーザの上半身および下半身を被覆するように、電子機器４のための結合機構５の位置は中央部分にあってもよい。
【００２１】
図３Ｇは、硬質パネル１０の形のＥＭＦ遮断体２を示している。運搬または非使用時に占める全体スペースを縮小するようにパネルは折り畳まれる。硬質パネル１０は、電子機器の保護に使用されるとともに機器の収納のために形成されている。パネルが代替的に軟質材料で製作されるか、剛性パネル部分でパネルが軟質材料に被覆されてもよいことが理解されるべきである。パネルの大きさおよび形状は、電子機器４の寸法により必然的に規定されることになる。
【００２２】
図３Ｈは、電子機器４のためのケース１１の形のＥＭＦ遮断器２を示している。遮断シールドは、ケース１１の全体かケース１１の一部分のみで構成されうる。好適な実施形態では、ケース１１全体がＥＭＦ遮断材料で製作されるか、これに埋め込まれるか、これで被覆される。
【００２３】
図４Ａは、電子機器４への装着が可能なケース１１を備えるビブ（前掛け）ＥＭＦ遮断体２を示す。この実施形態では、ＥＭＦ遮断体２の中央部分にケース１１が装着され、下方部分は、ユーザがどのように機器を使用しているかに応じてユーザの身体または脚をシールドするのに利用可能である。ＥＭＦ遮断体２の上方部分は、ＥＭＦ遮断体２をユーザに固定するようにウェイト付きフラップ１２を備えるビブの形である。ウェイト付きフラップ１２はユーザの肩に乗ることになる。フラップ１２はウェイト付きであってもなくてもよい。
【００２４】
図４Ｂは、テーブル上のＥＭＦ遮断体２を使用してタブレットパーソナルコンピュータで遊んでいる幼児を示す。この形態で、ビブはユーザの肩に乗ってユーザの上半身を保護し、ＥＭＦ遮断体２はタブレットの下に置かれてユーザの身体の残りをシールドする。ケース１１はビブに結合され、キックスタンド１３を有している。一実施形態において、ケース１１はビブから着脱可能である。他の実施形態では、ＥＭＦ遮断体２は同様にしてデスクトップパーソナルコンピュータのキーボードに装着されうる。
【００２５】
図４Ｃは、ポケット１７と肩フラップ１２とを備えるＥＭＦ遮断体２を示す。肩フラップ１２はウェイト付きであり、摩擦によりＥＭＦ遮断体２を定位置に維持するのに役立つ。ポケット１７は、電子機器４（図のタブレットＰＣなど）を収納する開口部１８を有する。タッチ画面を備える機器４の場合に、ユーザは、透明窓１９を通して機器を操作しうる。機器が映画やビデオを再生中である状況では、透明窓１９によりユーザは映画を安全に見ることができる。
【００２６】
図４Ｄは、首ガード９と袖ぐり２０とを含み電子機器４のための結合手段５を備えるＥＭＦ遮断体２を示す。タブレットパーソナルコンピュータが、ファスナ６によりＥＭＦ遮断体２に装着されている。この形態で、ユーザは、ＥＭＦ遮断体２の袖ぐりを介して電子機器４に固定されている。ユーザの腕または肩がＥＭＦ遮断体２を支持し、ユーザは立ったり座ったり横になることができる。また、この形態は、首と甲状腺を保護するため高い襟９を使用している。電子機器４の装着点はＥＭＦ遮断体２の中央部分であるため、この実施形態で、ユーザは、たった一つのＥＭＦ遮断体２の使用によりユーザの上半身と下半身を保護することができる。この好適な実施形態において、ＥＭＦ遮断体２の上半身は頭からかぶるためのループデザインを有するが、ＥＭＦ遮断体２の下半身部分はユーザの腰および脚を覆う単純なブランケットデザインでもよい。
【００２７】
図４Ｅは、袖と、電子機器４を取り付けるためのフラップ材料１４とを備えるＥＭＦ遮断体２を示す。付加的に、この実施形態は、ユーザが座っていてフラップ材料を置くテーブルまたは表面がある時に使用するためフラップに組み込まれるゴム、熱可塑性エラストマ、または防滑面１５を有する。こうして、電子機器４がテーブルまたは表面から滑落する危険を低下させる。袖は、ＥＭＦ遮断体２をユーザに固定する。フラップ１４を有する実施形態とともに使用されるものとしてここでは図示されているが、このような方法（つまりゴム、ＴＰＥ，防滑面の使用）は、考えられるいかなる形のＥＭＦ遮断体にも使用されうる。
【００２８】
図４Ｆは、電子機器４へ装着するためのファスナ６を備えるストラップの形の付属物１６を備えるＥＭＦ遮断体２を示す。この実施形態で、ＥＭＦ遮断体２は、前述した方法のいずれでユーザに装着されてもよいが、ここでは肩フラップ１２とともに示されている。付属物１６の末端部のファスナ６は電子機器４に締結される。装着方法は上に開示されたものと同じでよい。付属物１６により、ユーザは電子機器４を自由に調節するか、快適性のためユーザの身体をずらすことができる。付加的に、ユーザが立っているか歩いている場合には、付属物１６は固定具として作用し、電子機器４が落下した場合に、付属物１６は機器が地面に衝突するのを防ぐ。固定特徴は、付属物１６のデザインを約４または５フィート（１．２１９２［ｍ］または１．５２４［ｍ］）の長さに制限し、ユーザの身長とＥＭＦ遮断体２での位置に左右される。この実施形態はまた、メインＣＰＵがデスクの下に配置されているデスクトップコンピュータでの使用にも有用である。こうして、付属物１６がデスク上のキーボードに装着されると、ＥＭＦ遮断体の底部分はユーザの生殖器エリアを覆ってユーザを保護する。
【００２９】
図４Ｇは、キーボードまたはラップトップを装着または設置するところをユーザに指示する明確な表示を有するＥＭＦ遮断体２を示す。この実施形態において、ＥＭＦ遮断体２は肩フラップ１２でユーザに固定される。ＥＭＦ遮断体２はまた、何らかの機器をＥＭＦ遮断体に設置するためのマーキングを、ＥＭＦ遮断体２の中央領域に有する。他の実施形態において、ＥＭＦ遮断体２は、ユーザが身体をずらせるが電子機器４を妨害しないようにテーブル２２に装着するための付加的装着機構を、ＥＭＦ遮断体２の中央部分に有する。好適な実施形態において、ＥＭＦ遮断体２は、表面に印刷されるか他の方法で一体化されて、ＥＭＦ遮断体２を折り畳むか装着または着用する際の補助となるか、ＥＭＦ遮断体２に電子機器を設置する際の補助となるグラフィック２１または指示を有する。グラフィックは、大人でもＥＭＦ遮断体を着用するのが楽しくなるようなメッセージを有する（「これを着ると泳げるよ！」など）。印刷されたグラフィックは、電子機器を設置するところを単純に直接にユーザに教えるもの（単純な矩形など）であって、ＥＭＦ遮断体に機器を固着または固定するファスナや結合手段を実際に有していなくてもよい（ＥＭＦ遮断体を設置するのみなど）。
【００３０】
図４Ｈは、ユーザの首周りに載置するための一つのフラップ１２を備えるループデザインとＥＭＦ遮断体２を電子機器４に装着するための吸盤２３とを含むＥＭＦ遮断体２を示す。また、この実施形態は、調節可能である肩フラップ１２の載置に限定されない。ファスナ６は、多様な体格のユーザに対応するように調節されうる。
【００３１】
図４Ｉは、首ガード、肩フラップ１２、ストラップ７、およびスナップとボタンと磁石２４の装着手段とを備えるＥＭＦ遮断体２を示す。この実施形態は、ユーザの背中で結ばれるストラップ７を備えて、電子機器４を長時間使用するユーザのためのものであるＥＭＦ遮断体２を示す。肩フラップ１２は快適であり、首ガード９はユーザから広がって首エリアを保護し、首を回したり動き回ったりするユーザの可動性を妨げない。
【００３２】
図４Ｊは、電子機器４のための嵌め込みスタンド２５を備えるＥＭＦ遮断体２を示す。この実施形態で、ＥＭＦ遮断体２は肩フラップ１２でユーザに固定される。ＥＭＦ遮断体２は、ＥＭＦ遮断体２をテーブルに固定する装着機構もＥＭＦ遮断体２の末端部に有する。ＥＭＦ遮断体２は、ユーザが身体をずらしても電子機器４を妨害しないようにテーブルに装着するための付加的装着機構をＥＭＦ遮断体２の中央部分に有しうる。スタンド２５は、ユーザが電子機器４のバランスを安定的に保つための溝またはスリット２６を備えるプラスチック薄片として組み込まれる。ＥＭＦ遮断体２との同一平面位置から回転して電子機器４とＥＭＦ遮断体２との間の三角形支持体をキックスタンドのように形成できる折り畳みブレースまたはプラスチックアームなど、スタンド１３をＥＭＦ遮断体２に組み込む付加的な方法が当該技術で周知である。
【００３３】
図４Ａ〜４Ｊは、ＥＭＦ遮断体２を人に締結する様々な方法を示している。例えば、ベルクロ（登録商標）ファスナ、ストラップ７、クリップ、スナップ、ボタン、（頭からかぶるための）ループデザイン、および袖が使用されうる。様々な方法は、多様なタイプのユーザにとって多様な利点を有する。頻繁に中断することのある大人は、迅速な取り外しと再装着が容易であるため、面ファスナ装着方法が便利である。このデザインが有益である大人の例は、頻繁な世話が必要な幼い子供を育てている共働きの両親であろう。好適な実施形態は、ＥＭＦ遮断体２に二つのクリップを設けることである。クリップデザインは、迅速にボタンを掛け外しする器用さを備えていない年配者にも良好に機能する。
【００３４】
別の好適な実施形態は、ＥＭＦ遮断体２がボタンでユーザに装着されうるものである。ボタン装着は、普段から長時間にわたって機器で作業し、ボタンが提供できる丈夫で確実な装着を好むユーザには良好に機能する。子供には、ボタンでの装着に必要となる手の器用さを要求しないため、ループデザインの使用が容易である。
【００３５】
ＥＭＦ遮断体２が袖によりユーザに装着される別の好適な実施形態。この特定の装着方法は、クリップまたはボタンを操作する器用さ、またはループデザインを自分の頭にかぶせる体力または柔軟性を備えていないすべての年齢のユーザに良好である。
【００３６】
図５は、袖ぐりと、付属物の末端部に装着されるファスナとを備えるコスチュームの形のＥＭＦ遮断体５２を示す。この実施形態は、付属物およびファスナの数は一つのみに限定されないことを例示している。ここでコスチュームには、電子機器５４を安定させて単一のファスナが不具合である場合に追加の保護を提供しうる二つのファスナが設けられる。付加的に、コスチューム全体が遮断シールド３を有していなくてもよく、生殖器官または頭や首を保護するだけでも有利であることが理解されるべきである。
【００３７】
図６Ａは、ＥＭＦ遮断体２の末端部または終端部にベルクロ（登録商標）ファスナや面ファスナ装着手段を備えるＥＭＦ遮断体２を示す。ベルクロ（登録商標）ファスナや面ファスナは、安価で頑丈であり、取り外しおよび再装着が容易であるため、好適な装着方法である。この実施形態により、ユーザはＥＭＦ遮断体２をユーザの身体に単一方向で容易に載せることができる。ユーザは、選択されたデザインに応じて首まで腰を被覆して首をさらに喉を被覆するか、または腰から脚や足まで覆うことができる。このオプションであれば、特定の心配を抱えている人には有益であり、例えば妊婦は腹部を被覆して胎児を保護したいと考えるだろう。おそらくユーザは、特定種類の癌、甲状腺癌についての家族健康歴を有しており、そのため、甲状腺をシールドする便利で軽量のＥＭＦ遮断体２を用意するというオプションを好むだろう。
【００３８】
図６Ｂは、二つのフラップ５３と、遮断シールド３の中央領域に配置された面ファスナを閉じる磁石５５とを含むループデザインを持つケープ６０の形のＥＭＦ遮断体を示す。磁石５５は、ユーザの首の周りに２個のＥＭＦ遮断体２を取り付けるのに使用されうる。この特定デザインは、遮断シールド３の中央領域に配置されるファスナ５６を備えるコスチュームケープ６０でもある。一実施形態において、ＥＭＦ遮断体２は、後述する電子機器またはケース１１に装着される着用品である。着用品はケープ状であり、子供の背中ではなく子供の前側に着用されうる。考えられるいくつかの実施形態は袖を有する。考えられる他の実施形態は、吸血鬼のケープとちょうど同じような立て襟を有することができ、ケープが子供の前側に着用されるときに、立て襟が子供の首と脳をＥＭＦ放射被曝から保護する。
【００３９】
図７Ａは、ＥＭＦ放射保護を備えていないラップトップで作業しているユーザについての先行技術を示す。図７Ｂは、天板上の電子機器とともに使用するためユーザに装着されるＥＭＦ遮断体２を示す。ＥＭＦ遮断体２は、表面または結合機構５での電子機器またはキーボードの任意の載置を示すためのマーキング２１を有しうる。図７Ｂには、電子機器が示されていない。有線キーボード自体はＥＭＦ放射を放出しないが、ＥＭＦ遮断体は、デスクトップＰＣをＥＭＦ遮断体に係止するためのガイドとしてキーボードを使用するため、有線キーボードにも適している。ワイヤレスキーボードはＥＭＦ放射を放出することが知られているため、ワイヤレスキーボードとの使用が特に考えられる。
【００４０】
図８は、折り畳まれてケース８０のポケットに収納されるＥＭＦ遮断体８２を備えるケース１１を示す。このケース８０は、ＥＭＦ遮断材料で製作されるか、このようなＥＭＦ遮断材料をケース８０の一部として有する。具体的には、独自の方法で製造されて後で詳述されるＳｉｌｖｅｒｅｌｌＴＭおよびＡＲＧＥＮＴＥＸＴＭなど市販の多様な材料が存在する。カバーおよびＥＭＦ遮断体８２が一緒にぴったりと折り畳まれる。任意であるが、電子機器４の上でカバーが閉じられる前に、ＥＭＦ遮断体がカバーから取り外されてもよい。周知のオムツ替えマットが畳まれたり広げられたりする周知の方法のように、他にも畳んで広げる形態が多く考えられる。ＥＭＦ遮断体８２を硬質カバーに装着する方法は、ベルクロ（登録商標）ファスナ（面ファスナ）材料、スナップ、ジッパ、またはボタンの使用でありうる。代替的実施形態では、ベルクロ（登録商標）ファスナ（面ファスナ）材料、スナップ、または引っ張りループ材料（ゴムバンドまたはバンジーコードなど）を使用して、ＥＭＦ遮断体が電子機器４に直接装着されうる。
【００４１】
一実施形態において、ＥＭＦ遮断体２は、硬質または軟質カバーを必要とせずに電子機器４の底側に部分的および直接的に装着される。また別の実施形態では、硬質または軟質カバーが存在し、硬質および軟質カバーは、ユーザ、具体的には生殖器官をＥＭＦ放射被曝から保護するのに必要なＥＭＦ遮断材料を軟質または硬質カバーの一部として設けることにより、ＥＭＦ遮断体２としても作用する。
【００４２】
好適な実施形態では、ＥＭＦ遮断体２はスナップ２４により電子機器４またはケースに装着されうる。この実施形態により、取り外しも容易である頑丈な装着が可能である。だが、スナップ収容部を電子機器４に永久的に装着することは、ユーザフレンドリではない。ＥＭＦ遮断体２がジッパでケースに装着される代替的実施形態。ＥＭＦ遮断体２は洗濯可能であり、ケース１１が選択可能材料で製作されたものでなければ、これをケースから取り外すことがおそらく必要であろう。
【００４３】
好適な実施形態では、ＥＭＦ遮断体２はボタン２４でケース１１に装着されうる。ボタン装着実施形態は、ＥＭＦ遮断体２をユーザにさらに装着するための安定プラットフォームとなるため、非常に好ましい。
【００４４】
ＥＭＦ遮断体２がケース１１に装着されてケース１１にポケットが形成される好適な実施形態。例えば、ポケットは、タオルの形状および大きさのＥＭＦ遮断体２の中央部分にある。電子機器４がポケットに入れられ、タオルの形状および大きさのＥＭＦ遮断体２が収納のために丸められ、使用のためには広げられる。また、ＥＭＦ遮断体２は単純に膝用ブランケットでもよい。さらに、ＥＭＦ遮断体がＳｎｕｇｇｉｅ（登録商標）の袖付きブランケットの形であってもよい。また別の実施形態では、ＥＭＦ遮断体２が電子機器４とケース１１のいずれかに装着され、ＥＭＦ遮断体２は袖の形状である。ＥＭＦ遮断体２は、人またはペットにより着用される衣類の形状であってもよい。
【００４５】
また別の実施形態において、カバーは、ＥＭＦ遮断体８２が詰め込まれるポケットを有しうる。ポケットは開口していても再密封可能であってもよい。再密封可能な形のポケットは、ジッパ、ボタン、スナップ、またはベルクロ（登録商標）ファスナを利用してポケットを閉じた状態で密封できる。代替的に、ＥＭＦ遮断体８２がポケットの内側に装着されて、ＥＭＦ遮断体８２を広げるためのアンカーとして作用してもよく、発明のこの実施形態では、装着方法はジッパ、ボタン、スナップ、またはベルクロ（登録商標）ファスナの形である。ケース１１が軟質材料で製作される代替的実施形態。軟質材料は、ネオプレン、有孔フォーム、または予備成形フォームなどの合成材料を含むか、これから全体が製作される。当業者であれば、ケース１１を製作するのに利用可能な多くの可能性に気付くだろう。
【００４６】
図９は、ＥＭＦ遮断体９２が、クッション９１と硬質面９３とを備えるラップトップクッションテーブル９０の形である好適な実施形態を示す。
【００４７】
好適な実施形態において、考えられるＥＭＦ遮断材料は、銀層を上に含む糸状繊維／布基板であり、銀層は９９．９％純銀であって、ポリアミドベース材料に銀を接合する独自の金属被覆プロセスで布地の表面に永久接合される。
【００４８】
ＥＭＦ遮断体は、薄布の好適な形である。ＥＭＦ遮断体は上記の材料で製作され、絹材料、皮革材料、ネオプレン材料、Ｌｙｃｒａ（登録商標）材料、レーヨン材料、アセテート材料、ナイロン材料、アクリル系材料、ポリエステル材料、ポリラクチド材料、ビニヨン材料、スパンデックス材料、リヨセル材料、アクリロニトリルゴム材料、プラスチック材料、および／または、ポリエステル材料、およびその混合物など、柔らかい可撓性材料が共に使用されうる。材料は、銀、銅、金、アルミニウム、鉄、鋼、真鍮、青銅、ニッケル、亜鉛、タングステン、白金、モリブデン、クロム、チタン、マンガン、グラファイト、および他の炭素系化合物、ポリマー、セラミクス、プラスチック、および合金やその組成物などの、電磁放射遮断材料で製作されうる。材料を処理する様々な方法は、製造後の材料の大量噴霧、浸漬、またはコーティングを含む。また、上記の好適な実施形態では、ＥＭＦ遮断材料の製織に先立って、ベースとなるポリマーに放射遮断材料が組み込まれてもよい。
【００４９】
加えて、人の身体の少なくとも一部を隠すケープ、ドレス、タオル、シャツ、または何らかの種類のカバーを設けることにより航空機のＥＭＦ被曝から、航空機で移動中の人、子供、幼児、および小児を保護するように、同じ概念が拡張されうる。好適な実施形態において、ＥＭＦ遮断体は、ユーザの喉や首を保護する高い襟９を形作るような形状であってもよい。図面の図は考案の器具を使用している大人を示していないが、本発明は大人、さらに家庭のペットのための使用も意図されている。
【００５０】
図に示されたＥＭＦ遮断体は布シートまたはブランケットの形である。図３Ｇに示された底板と類似した硬質パネルの形で製作されたＥＭＦを設けることも考えられる。軽量で反発弾性を備える低弾性ポリウレタンなどの適当な材料が業界では周知である。
【００５１】
このようなＥＭＦ遮断材料は噴霧されてもよい。当業者であれば、このようなＥＭＦ遮断材料を取り入れることが可能な多様な方法に気付くだろう。
【００５２】
また、当業者であれば、同一か類似の機能を提供する限り他の多くの種類の材料が使用されうることに気付くだろう。
【００５３】
明瞭化のため、全体を通してファスナおよび装着手段について説明したが、以下の吸盤、ボタン、クリップ、スナップ、面ファスナ、磁石、弾性バンド、電子機器４を傾けて収容および保持する収容スロット、跳ね上げフレームキックスタンド、および電子機器を摩擦により定位置に固定する材料も含めるべきである。
【００５４】
明瞭化のため、全体を通してファスナおよび装着手段と結合機構５について説明したが、以下の吸盤、ボタン、クリップ、スナップ、面ファスナ、磁石、弾性バンド、電子機器４を傾けて収容および保持する収容スロット、跳ね上げフレームキックスタンド、および電子機器４を摩擦により定位置に固定する材料も含めるべきである。
【００５５】
ここに開示された本発明の様々な実施形態に、その趣旨および範囲を逸脱することなく様々な変更が加えられうることが理解されるだろう。例えば、様々な器具が、様々な種類の構成材料とともに考えられる。また、部品の形態やその相互作用において様々な変更が行われうる。そのため、上の説明は発明を限定するものと解釈されるべきではなく、その好適な実施形態の例としてのみ解釈されるべきである。当業者であれば、添付の請求項により規定される本発明の範囲および趣旨の中で他の変更も思いつくだろう。
【図３Ｃ】
2016536793.tif 000003
【図１】
2016536793.tif 000004
【図２】
2016536793.tif 000005
【図３Ａ】
2016536793.tif 000006
【図３Ｂ】
2016536793.tif 000007
【図３Ｄ】
2016536793.tif 000008
【図３Ｅ】
2016536793.tif 000009
【図３Ｆ】
2016536793.tif 000010
【図３Ｇ】
2016536793.tif 000011
【図３Ｈ】
2016536793.tif 000012
【図４Ａ】
2016536793.tif 000013
【図４Ｂ】
2016536793.tif 000014
【図４Ｃ】
2016536793.tif 000015
【図４Ｄ】
2016536793.tif 000016
【図４Ｅ】
2016536793.tif 000017
【図４Ｆ】
2016536793.tif 000018
【図４Ｇ】
2016536793.tif 000019
【図４Ｈ】
2016536793.tif 000020
【図４Ｉ】
2016536793.tif 000021
【図４Ｊ】
2016536793.tif 000022
【図５】
2016536793.tif 000023
【図６Ａ】
2016536793.tif 000024
【図６Ｂ】
2016536793.tif 000025
【図７Ａ】
2016536793.tif 000026
【図７Ｂ】
2016536793.tif 000027
【図８】
2016536793.tif 000028
【図９】
2016536793.tif 000029
【国際調査報告】
2016536793.tif 000030